(57)【特許請求の範囲】
【請求項１】
遊技盤面に設けられる入賞口への遊技球の入賞を検出する入賞球検出スイッチと、
遊技球を貯留するための上受け皿に設けられ、プリペイドカードによる遊技球の貸出し操作を行う球貸し操作スイッチである球貸出しボタンと、
遊技場の島から供給される遊技球を一時貯留する賞球タンクと、
前記賞球タンクに連接されたタンクレールと、
前記タンクレールの賞品球流下端部位に連設され、前記各スイッチに応じて遊技球を払い出す球払出装置と、
前記タンクレールの前記球払出装置の直前において賞品球の球切れを検出し球払出しの空動作を防止する為の空切り防止スイッチと、
前記球払出装置より払出された賞品球が充満したことを検出する満タンスイッチと、
を備え、
前記入賞球検出スイッチ、前記空切り防止スイッチ、前記満タンスイッチは主制御基板に接続される一方、前記球貸し操作スイッチ及び前記球払出装置はＣＲ払出し制御基板に接続され、
前記ＣＲ払出し制御基板は前記入賞球検出スイッチの検出動作に対応した前記主制御基板からの賞品球の払出し指令を受けて前記球払出装置によって賞品球を払い出させる一方、前記球貸し操作スイッチによる球貸し要求を受けて前記球払出装置によって貸し球を払い出させる制御を実行することを特徴とするカード式パチンコ遊技機。
【発明の詳細な説明】
【技術分野】
【０００１】
本発明は、カード式パチンコ遊技機に関し、さらに詳しくは、プリペードカード使用による貸し球の払出機構を備えたカード式パチンコ遊技機において賞品球の払い出しと貸し球の払い出しとを区別して制御することのできるカード式パチンコ遊技機に関するものである。
【背景技術】
【０００２】
従来、一般に知られているように、パチンコ遊技機は、遊技盤面に設けられる各種入賞口に遊技球が入賞すると、その入賞信号を受けて遊技機内に設けられる賞品球払出装置によりその各入賞口に応じた所定個数の賞品球が遊戯者に払出されるようになっている。
【０００３】
また近年、プリペードカード使用によるパチンコ遊技機も知られており、このカード式のパチンコ遊技機の場合には、各遊技機に備え付けられるプリペードカードによる玉貸機（以下、「プリペードカードユニット」と称する）にプリペードカードを挿入し、金額設定ボタンの操作により貸し出し金額を決めて球貸出しボタンを押すと、その貸し出し金額に応じた所定個数の貸し球が遊戯者に払出されるようになっている。
【０００４】
このカード式パチンコ遊技機の場合には、前述した賞品球払出装置を貸し球払出装置としても兼用し、遊技盤の各入賞口に遊技球が入賞したことによる入賞信号とプリペードカード使用による球貸出し操作に伴う貸し球要求信号の両方の信号処理により、時には賞品球の払出しを、また時には貸し球の払出しをその賞品球払出装置により行うようにしている。
【発明の概要】
【発明が解決しようとする課題】
【０００５】
しかしながら、このような従来一般に知られているカード式パチンコ遊技機においては遊技盤面の各入賞口に遊技球が入賞したことによる入賞信号と、プリペードカード使用による球貸出し操作に伴う貸し球要求信号の両方の信号処理を主（メイン）制御基板で処理するようになっていた。
【０００６】
その場合に最近のパチンコ遊技機では、遊技盤面に図柄表示装置や電動役物である大入賞口を備え、図柄表示装置の変動図柄の確定によって「大当たり」状態が生じると、大入賞口が所定のインターバルで何回か開放を繰り返し、その間に多数の遊技球が入賞して遊戯者に多量の賞品球が払出されるものが主流となっているが、このような、いわゆるフィーバタイプのものでは、その図柄表示装置の図柄変動制御のほかに大入賞口の駆動制御その他の信号処理の多くが主制御基板で行われていた。
【０００７】
このような場合、主制御基板に（賞品）球払出装置から球払出信号（具体的には払出球数計数センサからの信号）が入った時、その入力信号が賞品球の払い出しであるのか、球貸し出しであるのかが判定できない。そのために遊技球の払い出し確認に不都合が生じるおそれがあり、例えば、遊技球の払出個数の誤作動により遊戯者には払い出し個数が少ないことによる不利益を与える等の問題が起こり得るものであった。
【０００８】
本発明の解決しようとする課題は、プリペードカード使用による貸し球の払出機構を備えたカード式パチンコ遊技機において、各種入賞口への入賞に伴う賞品球の払い出しと、プリペードカード使用による貸し球の払い出しとの信号の認識をはっきりさせることにある。
【課題を解決するための手段】
【０００９】
この課題を解決するために本発明に係るカード式パチンコ遊技機は、
遊技盤面に設けられる入賞口への遊技球の入賞を検出する入賞球検出スイッチと、
遊技球を貯留するための上受け皿に設けられ、プリペイドカードによる遊技球の貸出し操作を行う球貸し操作スイッチである球貸出しボタンと、
遊技場の島から供給される遊技球を一時貯留する賞球タンクと、
前記賞球タンクに連接されたタンクレールと、
前記タンクレールの賞品球流下端部位に連設され、前記各スイッチに応じて遊技球を払い出す球払出装置と、
前記タンクレールの前記球払出装置の直前において賞品球の球切れを検出し球払出しの空動作を防止する為の空切り防止スイッチと、
前記球払出装置より払出された賞品球が充満したことを検出する満タンスイッチと、
を備え、
前記入賞球検出スイッチ、前記空切り防止スイッチ、前記満タンスイッチは主制御基板に接続される一方、前記球貸し操作スイッチ及び前記球払出装置はＣＲ払出し制御基板に接続され、
前記ＣＲ払出し制御基板は前記入賞球検出スイッチの検出動作に対応した前記主制御基板からの賞品球の払出し指令を受けて前記球払出装置によって賞品球を払い出させる一方、前記球貸し操作スイッチによる球貸し要求を受けて前記球払出装置によって貸し球を払い出させる制御を実行することを要旨とするものである。
【発明の効果】
【００１０】
本発明の請求項１に記載のカード式パチンコ遊技機によれば、入賞球検出スイッチは主制御基板に接続される一方、球貸し操作スイッチ及び球払出装置はＣＲ払出制御基板に接続され、ＣＲ払出し制御基板は入賞球検出スイッチの検出動作に対応した主制御基板からの賞品球の払出し指令を受けて前記球払出装置によって賞球を払い出させる一方、球貸し操作スイッチによる球貸し要求を受けて前記球払出装置によって貸し球を払い出させる制御を実行するので、入賞に伴う賞品球の払い出しとプリペードカード使用による貸し球の払い出しとの信号の区別が可能となる。
【図面の簡単な説明】
【００１１】
【図１】本発明の一実施の形態におけるカード式パチンコ遊技機の正面図である。
【図２】図１に示したパチンコ遊技機の外観斜視図である。
【図３】このパチンコ遊技機の遊技盤面の拡大正面図及び部材の構成図である。
【図４】図１に示したパチンコ遊技機の裏面図である。
【図５】その外観斜視図である。
【図６】遊技盤の裏面に設けられる入賞球（セーフ球）の流出経路を説明する図である。
【図７】このパチンコ遊技機における遊技内容を説明する制御フローチャートである。
【図８】このパチンコ遊技機における賞品球払出機構及び入賞球（セーフ球）排出機構における遊技球の流出経路を示した図である。
【図９】図８に示した賞品球払出機構及びそれに隣接して設けられる球抜機構の構成を拡大して示した図である。
【図１０】本発明の実施例に係る賞品球払出機構部（球払出装置）の構成を示した図である。
【図１１】図１０に示した球払出装置の具体的実施例としての構成を示した図である。
【図１２】本発明のパチンコ遊技機における制御ブロック図である。
【発明を実施するための形態】
【００１２】
以下、本発明の好適な実施の形態を図面を参照して詳しく説明する。図１は、本実施例のパチンコ遊技機の正面図、図２はその外観斜視図を示したものである。パチンコ遊技機１０は、パチンコ機本体側部を構成する外枠１１と、パチンコ機前面部のベースとなる内枠１２とを備え、その内枠１２の額縁状に形成された開口内周縁には金枠１３が嵌められると共に、その金枠１３には遊技盤１４の前面を覆うガラス扉１５が開閉可能に設けられる。
【００１３】
そしてガラス扉１５の下方位置には、打球発射装置に供給される遊技球を貯留するための受け皿（上受け皿）１６が取り付けられ、更にその下方には、賞品球の排出時に上受け皿１６から溢れた球を貯留するための球受け皿（下受け皿）１７が設けられている。尚、上受け皿１６に設けられる球抜けボタン１８の操作により上受け皿１６内の遊技球が下受け皿１７に向けて抜き落とされる。
【００１４】
下受け皿１７の図中右側位置には、遊技球を遊技盤１４面に向けて弾発発射する発射レバー２０が設けられ、この発射レバー２０には遊技球を一球毎に発射する為の単発スイッチ２１が備えられる。発射レバー２０の回動操作する量に応じて遊技球を遊技盤１４面に向けて弾発発射する程度が調整されるとともに、所定回動位置の検出により発射電源が投入されるようになっている。
【００１５】
前記内枠１２の上辺縁から図中右側辺縁には、合成樹脂製のレンズ体で構成される枠トップ飾り２３が設けられ、この枠トップ飾り２３の内部には、枠飾りランプ２４，２４…や前記ガラス扉１５開閉用の鍵穴２５の周囲を飾る鍵飾りランプ２６が設けられている。
【００１６】
パチンコ遊技機１０の一側には、プリペイドカードによる玉貸機（以下、「プリペイドカードユニット」と称する）３０が設置される。このプリペイドカードユニット３０は、１台の遊技機に１台づつ設置される。このプリペイドカードユニット３０の設置に対応してパチンコ遊技機１０の前記上受け皿１６には、プリペイドカードによる遊技球の貸出し操作を行う為の球貸し操作部３１が設けられ、この球貸し操作部３１には、プリペイドカードによる球貸出しを操作する球貸出しボタン３２、その球貸出しの可能状態を示す球貸出しボタンランプ３３、プリペイドカードを排出させるカード返却ボタン３４、プリペイドカードの残高表示、及びエラー表示を行う度数表示部３５等が備えられている。
【００１７】
プリペイドカードの使用に際しては、プリペイドカードユニット３０に備えられるカード利用可表示ランプ３６の点灯中にカード挿入口３７にプリペイドカードを挿入し、金額設定ボタン３８を操作することにより、貸出度数（貸出動作１回駆動、貸出動作２回駆動、貸出動作３回駆動、貸出動作５回駆動等、度数の設定により基本貸し出し数の整数倍の払出し設定を行う）を選択することができる。前記上受け皿１６に備えられる球貸し操作部３１の球貸出しボタン３２を操作することにより、予め選択された金額の球技球が貸出されることになる。
【００１８】
前記内枠１２の前面に設けられる遊技盤１４は、遊技板に装着された金属製の内レール４１、打球槌により打球発射位置より弾発発射された遊技球を盤面に向けて誘導する為の外レール４２、打球位置及び発射レールより転動し遊技盤面に至った球の跳ね返り作用のより再び打球が発射レールや打球位置に戻ることを防止するファール止４３、打球位置より転動してきた過大な飛送力を有する球を遊技板右上部において衝撃を吸収しつつ停止阻止し遊技板面下に向けて落下させる返しゴム４４等によりその周囲が構成され、その内側に遊技領域が形成される。
【００１９】
図３は、その遊技盤面を拡大して示したものである。遊技盤１４の遊技領域の中央やや上方には特別図柄表示装置５０が設けられ、その中央部に３つの特別図柄表示部（図中左から順に左図柄表示部５０Ａ、中図柄表示部５０Ｂ、右図柄表示部５０Ｃが設けられる。この特別図柄表示装置５０の各図柄表示部５０Ａ、５０Ｂ、５０Ｃには、夫々「１、２、３、４、５、６、７、８、９」までの数字と、４種類のキャラクタ図柄等により合計１３種類の図柄が表示されるようになっている。
【００２０】
この特別図柄表示装置５０の真下位置には、遊技球の入賞により特別図柄表示装置５０の各図柄５０ａ、５０ｂ、５０ｃの図柄変動を開始させる普通電動役物である可変翼タイプの第１種始動入賞口５１が設けられ、更にその下方位置には、通常は閉じている特別電動役物である大入賞口５２と、該大入賞口５２が開放された時に入賞可能となる特定領域入賞口５３とを備える。
【００２１】
更に遊技盤１４面には前記大入賞口５２の左右位置に、普通入賞口である左落し入賞口５４、右落し入賞口５５が設けられると共に、その上方位置には左袖入賞口５６、右袖入賞口５７が各々備えられる。これらの各入賞口に遊技球が入賞すると第１種始動入賞口５１及び左右落し入賞口５４，５５、左右袖入賞口５６においては５個、右袖入賞口５７においては７個、大入賞口５２及び特定領域入賞口５３においては１３個の賞品球が各々払出されるように構成されている。
【００２２】
また、前記特別図柄表示装置５０の周囲を囲む装飾枠体５８の上部に形成された半円弧形状の装飾枠部には、７セグメントのデジタル表示により表示される普通図柄表示装置６０が備えられる。この普通図柄表示装置６０には、「０」〜「９」までの数字が表示される。そして、前記特別図柄表示５０の左右位置に、左ゲート６１、右ゲート６２が設けられ、これら左右ゲート６１，６２への遊技球の通過に伴って、普通図柄表示装置６０が図柄変動を開始するように構成されている。
【００２３】
そして、前記左右ゲート６１，６２を通過した遊技球は、装飾枠体５８の内部を通過した後、下側枠縁上に誘導される。この装飾枠体５８の内枠縁部はすり鉢状に構成され、その中央にはモータ駆動による誘導部材６３が設けられる。装飾枠体５８に誘導されてきた遊技球はこの誘導部材６３により遊技盤１４面を再び落下される。
【００２４】
尚、この遊技盤１４面には、前記図柄表示装置や入賞口等のほかに、遊戯者によって弾発発射された遊技球の落下方向を無作為に変更させたり、その流下速度を変化させる風車６４、６４及びランプ風車６５、６５等が設けられている。これにより、弾発発射された遊技球は遊技盤１４面の遊技域内で転動しつつ下方へ落下して行き、上記した各装置及び入賞口に入賞するか、何処にも入賞しなければ遊技域の最下部の設けられた排出口６６にて遊技盤１４の裏側へ排出される。
【００２５】
図４は、パチンコ遊技機の裏面図を示し、図５はその外観斜視図を示したものである。パチンコ遊技機１０の裏面に設けられる機構板７６面の上方位置に、遊技場の島から供給される遊技球を一時貯留する賞球タンク７７が設けられると共に、その賞球タンク７７に連設されてタンクレール７８が設けられ、このタンクレール７８の賞品球流下端部位に賞球払出機構部８０（本発明の「球払出装置」）が連設されている。
【００２６】
タンクレール７８には、前記賞球タンク７７やタンクレール７８上の遊技球の補給状態により作動される補給スイッチ８１が設けられ、又、賞球払出機構部８０の直前において賞品球の球切れを検出し球払出しの空動作を防止する為の空切り防止スイッチ８２が設けられている。さらに賞球払出機構部８０より払出された賞品球がパチンコ遊技機内に充満した場合にこれを検出する満タンスイッチ８３、あるいは遊技機内に遊技球が充満した時に遊技球の払出しを一旦停止させる満タンストッパ８４等も備えられている。
【００２７】
機構板７６には遊技盤１４面の各入賞口に入った入賞球（セーブ球）を一球毎に球切りして検出するセーフ球排出機構部８５も設けられ、このセーフ球排出機構部８５により検出されたセーブ球はこの後機外へ排出されるようになっている。又、遊技盤１４の裏面は中央カバー８６に覆われている各セーフ球誘動樋を介してセーフ球排出機構部８５へ導出される。
【００２８】
この機構板７６には、各種の制御基板が取付けられている。例えば、プリペイドカードに係わる情報をパチンコ遊技機１０の外部において処理するプリペイドカードユニット３０と遊技機本体とを電気的に接続するＣＲ外部接続端子基板８７を含む外部接続端子９７、発生したセーフ球の種別に応じて所定個数の賞品球を前記賞球払出機構部８０に払出し動作させたり、球貸出しボタン３２の操作による球貸出し要求信号に基づいてその賞品球払出機構部８０に貸し球の払出しを動作させる回路が装着されたＣＲ賞球払出制御基板８８、該ＣＲ賞球払出制御基板８８とプリペイドカードユニット３０との間に設けられ、プリペイドカードユニット３０に挿入されたプリペイドカードの情報と、パチンコ遊技機１０の前面に設けられた球貸し操作部３１への球貸し要求信号と球貸し状態を表示する度数表示情報と、球貸し情報に基づいてＣＲ賞球払出制御部を司令制御する情報との授受を行うカードインターフェイス基板８９が設けられている。
【００２９】
また前記ＣＲ外部接続端子基板８７、カードインターフェイス基板８９、ＣＲ賞球払出制御基板８８相互間においてカードデータ処理に係わる信号を中継するＣＲ中継基板９０、パチンコ遊技機１０の遊技盤１４面で発生したセーフ球を検出して特別図柄表示装置５０を駆動制御し、その特別図柄の表示態様を設定切り替え制御し、入賞の種別に対応して所定個数の賞品球の払出しをＣＲ賞球払出制御部へ指令する等を行う主制御基板９１等がこの機構板７６に取付けられている。そしてこれら独立してそれぞれ組み付けられた各種基板がパチンコ遊技機に組み付けられた後、コネクタ配線により互いに脱着可能に電気接続されている。パチンコ遊技機１０の外部のプリペイドカードユニット３０と遊技機本体との間の情報の入出力は、カードインターフェイス接続部９２を介して行われる。
【００３０】
前記ＣＲ賞球払出制御基板８８は、賞品球の不足欠乏、及び供給状態、排出状態の異常を検出し、払出し動作の停止と、表示動作も合わせて行われるもので、ここにはＣＲ賞球払出制御基板８８や賞球払出機構部８０等の賞球払出制御機構において遊技球の不足、球詰まり、回路操作異常、ソフトエラー等の異常が発生した場合にその旨を表示するエラー表示部９３、あるいはエラー状態が解除された場合に前記エラー表示部９３を初期状態に復帰リセットさせるエラー表示リセットボタン９４が設けられている。
【００３１】
また前記主制御基板９１には、特定図柄表示装置５０に於いて発生する当たりの出現状態（確率）を３個のＬＥＤにて表示する設定表示ＬＥＤ９５、あるいは前記当たりの出現確率を所定条件下のみ切替え可能に設定する為の確率モード設定スイッチ９６が設けられている。
【００３２】
パチンコ遊技機１０で発生した各種情報は機構板７６の上部片隅に設けられる外部接続端子９７を介して遊技機外部の遊技場管理装置へ出力される。特別図柄表示装置５０の図柄若しくは入賞装置の始動回数、所定図柄の確定により発生する大当たりの発生回数、遊技者に特別な利益状態を継続させる継続情報、当該パチンコ遊技機における当たりの出現確率、不正検出信号等の各種情報がこの外部接続端子９２を介して入出力されることになる。
【００３３】
更に機構板７６の裏面下方隅寄り位置には、前記上受け皿１６に供給された遊技球を遊技盤１４面に向けて弾発発射するための打球発射装置１００が備えられている。この打球発射装置１００は、打球発射モータ１０１のほか、発射装置制御回路、打球槌、弾発力調整手段等により構成される。タッチ感度調整ボリューム１０２は、遊技者の打球発射操作ハンドルへの接触を検出して打球発射モータ１０１の電源を投入するタッチスイッチ回路の検出感度を調整する為に設けられ、又、遊技球発射調整ダイヤル１０３は、遊技盤１４面へ向けての遊技球弾発力、飛走距離をパチンコ遊技機の裏面側で調整設定する為に設けられている。
【００３４】
打球発射装置１００に近接して発射装置制御基板１０４が設けられ、これには打球発射モータ１０１の駆動制御回路及びタッチスイッチ回路が含まれている。打球発射モータ１０１の駆動制御回路では、モータの回転速度、トルク、特に１分間に発射する打球間隔、速度等が設定されている。尚、このパチンコ遊技機１０は電源プラグ１０６を介してＡＣ１００Ｖ電源に接続されている。また前記外部接続端子９７より引き出されたリード線１０７は、コネクタ１０８及び電源プラグ１０９を介してＡＣ２４Ｖ電源に接続されている。
【００３５】
図６は、遊技盤１４面の各入賞口やゲートを通過した遊技球の遊技盤面における流出経路及び各種スイッチ類やソレノイド類等の配置状態を示した図である。図示されるように、前記第１種始動入賞口５１に落入した遊技球の流出経路には第１種始動口用検知スイッチ１１０が設けられ、また前記大入賞口５２における入賞球の流出経路にはその入賞球数をカウントするカウント用スイッチ１１１が設けられ、更に前記特定領域入賞口５３における入賞球の流出経路にはその入賞を検知する特定領域用スイッチ１１２が設けられる。更に前記左右ゲート６１，６２における遊技球通過経路にはその通過を検知する左ゲート用スイッチ１１３及び右ゲート用スイッチ１１４が設けられている。
【００３６】
更に、第１種始動入賞口５１を開閉動作する普通電動役物用ソレノイド１１５、大入賞口５２を開閉動作させる大入賞口開放用ソレノイド１１６、特定領域入賞口５３を開閉動作させる特定領域開放用ソレノイド１１７が設けられ、装飾枠体５８の内側下部に設けられた誘導部材６３を上下動作するための誘導部材駆動用モータ１１８も設けられる。
【００３７】
一方、前記右袖入賞口５７における入賞球の流出経路には入賞検出用スイッチ１１９が設けられ、前記左右落し入賞口５４，５５及び左袖入賞口５６における入賞球の流出経路には入賞検出用スイッチは設けられていないが、セーフ球排出機構部８５においてセーフ球がセーフ球排出ソレノイド１２０により１個づつ排出される間にセーフ球検出スイッチ１２１により入賞球の合計個数がカウントされるので、その個数差分だけ５個ずつの賞球が払出されるようになっている。
【００３８】
ちなみに、このパチンコ遊技機１０の遊技内容を、図７に示した制御フローチャートに基づいて説明する。この遊技機１０では、遊技者によって遊技盤１４面に向けて発射された遊技球がゲート６１，６２の何れかを通過したことが左右ゲートスイッチ１１３，１１４により検知される（Ｓ１０「ＹＥＳ」）と、その信号に基づいて普通図柄変動装置６０が図柄変動を開始する（Ｓ１２）。そしてこの普通図柄表示装置６０は図柄変動を開始してから６．０秒を経過するとその図柄変動を停止し、変動図柄が確定する（Ｓ２４）。この確定図柄のうち、いわゆる「当たり」と称される図柄が出れば（Ｓ２６「ＹＥＳ」）、主制御基板９１からの指令信号により遊技盤１４面の第１種始動入賞口５１が開放される（Ｓ２８）。
【００３９】
そして、この開放された第１種始動入賞５１に遊技球が入賞する（Ｓ３０「ＹＥＳ」）と、第１種始動入賞口用スイッチ１１０からの検出信号に基づき特別図柄表示装置５０の各図柄５０ａ、５０ｂ、５０ｃが順に図柄変動を開始する（Ｓ３２）。この特別図柄表示装置５０は「大当たり」が発生する低確率と高確率の２段階の抽選確率を有し、抽選確率が低確率の場合（Ｓ３４「ＹＥＳ」）は５．８秒経過後に図柄変動を停止し（Ｓ４０）、高確率の場合（Ｓ３４「ＮＯ」）は、それよりも短い５．０秒経過後に図柄変動が停止される（Ｓ３８）。
【００４０】
この特別図柄表示装置５０の各図柄５０ａ、５０ｂ、５０ｃに表示される確定図柄の組合せによって「大当たり」と称する遊技状況が発生し、「大当たり」図柄の組合せが出た場合（Ｓ４２「ＹＥＳ」）は、条件装置が作動し、その「大当たり」図柄の組合せがいわゆる通常図柄（非特定図柄）の場合は大入賞口５２が開放状態を繰り返す連続作動回数は最大１６回に設定され（Ｓ４４「ＹＥＳ」、Ｓ４８）、「大当たり」図柄の組合せがいわゆる特定図柄の場合は、その大入賞口５２が開放状態を繰り返す連続作動回数が最大１４回に設定され（Ｓ４４「ＮＯ」、Ｓ５０）、更にその条件装置の作動停止から次の作動開始まで特別図柄表示装置５０に係る抽選確率は高確率へと移行する。
【００４１】
そしてこの条件装置の作動によって大入賞口５２が開放状態にあるときに、この大入賞口５２に遊技球が入賞する（Ｓ５２「ＹＥＳ」）と、１個の入賞球（セーフ球）に対して１３個の賞球が払出される（Ｓ５４）。この大入賞口５２は１個につき約２０秒間開放状態を維持し、その間にセーフ球が１０個入賞したことがカウント用スイッチ１１１からの検知信号により確認される（Ｓ６４「ＹＥＳ」）と、時間経過前にも閉じるようになっている（Ｓ６２）。また、大入賞口５２の開放に伴って特定領域入賞口５３が開放されるが、大入賞口５２の開放の間にこの特定領域入賞口５３に遊技球が１個入賞する（Ｓ５６「ＹＥＳ」）と、特定領域入賞検出用スイッチ１１２からの検出信号に基づき特定領域入賞口５３は閉じられ、これに伴って大入賞口５２も閉じられる（Ｓ５８）。
【００４２】
そして連続役物作動回数に達したか否かが判定され（Ｓ６０）、まだ連続作動回数に達していない場合には、再度大入賞口５２が開放される。この連続役物作動には、大入賞口５２の開放中及び第１種特別電動役物の作動終了後、約２．０秒以内に遊技球が特定領域入賞口５３を通過することによって大入賞口５２が閉じられた後、再度大入賞口５２が開放されるものである。
【００４３】
そして、所定の連続作動回数が終了するまで前記大入賞口５２の開放状態と閉じた状態を繰り返し（Ｓ６０「ＮＯ」）、所定連続回数回数が終了すると大入賞口５２は閉じられる（Ｓ６０「ＹＥＳ」、Ｓ６２）。また、特定領域入賞口５３に遊技球が入賞しなかった場合（Ｓ５６「ＮＯ」）は、大入賞口５２が開放状態になってから約２０秒経過した後、或いは大入賞口５２に遊技球が１０個入賞することにより大入賞口５２は閉じられ（Ｓ６４「ＹＥＳ」、Ｓ６２）、これらの条件を満たすまでは第１種特別電動役物の作動を繰り返し（Ｓ６４「ＮＯ」）、一連の動作は終了する（Ｓ６６）。
【００４４】
一方、Ｓ１０において遊技盤１４面に向けて発射された遊技球が、ゲート６１、６２を通過しなかった（Ｓ１０「ＮＯ」）が、遊技盤１４面に設けられる何れかの入賞口５４〜５７等に入賞する（Ｓ１６「ＹＥＳ」）か、或いはゲートを通過した後に何れかの入賞口に入賞した場合には、入賞検出用スイッチ１１９，或いはセーフ球検出スイッチ１２１からの検知信号に基づき入賞球１個につき５個又は７個の賞球が払出される（Ｓ１８）。なお、何処の入賞口にも入賞しない場合は「はずれ」として処理される（Ｓ２０）。また、Ｓ４２において特別図柄表示装置５０の変動図柄の確定により「大当たり図柄が出なかった場合（Ｓ４２「ＮＯ」）」も「はずれ」として処理される（Ｓ４６）。
【００４５】
図８は賞品球の払出経路と入賞球（セーフ球）の払出経路との位置関係を図示したものである。前述したことと一部重複するが、タンクレール７８の球流路下端部に遊技球払出樋１２２と球抜き樋１２３とが分岐して設けられ、遊技球払出樋１２２の下流位置に前記賞球払出機構部（球払出装置）８０が設けられる。そして、その賞球払出機構部８０より遊戯者に払出される遊技球（これは後に詳述するが、遊技盤１４面の各種入賞口に入賞することによって払出される賞品球の場合と、プリペードカード使用によって払出される貸し球の場合の両方がある。）がクッションローラ１２４を介して賞球保留部１２５に一時的に保留され、通常は球出口１２６より上受け皿１６へ払出され、上受け皿１６が満杯になったときは賞球通路樋体１２８を介して下受け皿１７へ払出されるようになっている。
【００４６】
図９は、図８に示した遊技球の払出機構及びそれに隣接して設けられる球抜機構の構成を拡大して示したものである。図示されるように、遊技球払出樋１２２と分岐して設けられる球抜き樋１２３の上流端には、賞品タンク７７やタンクレール７８に貯留される遊技  の球抜き装置１３０が設けられる。この球抜き装置１３０は賞球タンク７７やタンクレール７８上の遊技球を賞品払出機構部（球払出装置）８０へ誘導する遊技球払出樋１２２との分岐位置において、遊技球の球抜き開口部１３１が設けられ、その球抜き開口部１３１に球抜き片１３２が支軸１３３を介して開閉自由に設けられている。そしてその球抜き片１３３に設けられる重鍾（バランサ）１３４により賞球タンク７やタンクレール７８上に遊技球が存在しない時には球抜き開口部１３１が閉じられている。
【００４７】
そしてこの球抜き開口部１３１を開閉を規制するストッパ部材１３５が支軸１３６を介して回動自在に設けられ、そのストッパ部材１３５に設けられる係合爪１３７が球抜き片１３２に係脱自在に係合されることにより賞球タンク７７やタンクレール７８上に遊技球が存在していても球抜き片１３２から不用意に開放されることがないように規制されている。さらに前記ストッパ部材１３５の球抜き片１３２との係合を解除する球抜き作動レバー１３８の作動ピン１３９が前記ストッパ部材１３５に係合された構成とされている。
【００４８】
したがってこの球抜きレバー１３８をこの遊技機の管理者が図中手前に引くことにより作動ピン１３９によりストッパ部材１３５が押し下げられ、係合爪１３７が球抜き片１３２から外されることにより球抜き片１３２上の遊技球の荷重によって球抜き片１３２が押し開かれ、賞球タンク７７やタンクレール７８上の遊技球が球抜き開口部１３１より球抜き樋１２３へ流出されるようになっている。
【００４９】
また賞球払出機構部（球払出装置）８０の球払出経路は、第二隔壁１４１により賞品球路１５３と貸し球路１５４とが分離され、第一隔壁１４０により賞品球路１５３及び貸し球路１５４と抜き球路１２３とが分離され、球経路下方パチンコ遊技機下方に於いて各種球が合流されている。
【００５０】
図１０は、前述の賞球払出機構部（球払出装置）８０の構造を概念的に示したものである。この図において、遊技球払出樋１２２の下流に位置する補給通路１５０の開口端にスクリュー体１５１が設けられる。このスクリュー体１５１は補給通路１５０により供給される遊技球が受止されるようにらせん状の球受け溝１５２が周設され、そのスクリュー軸には図示しないが可逆転式のステッピングモータが連繋されている。そしてこのステッピングモータの駆動によりスクリュー体１５１は、正転あるいは逆転方向に回転駆動される。
【００５１】
そしてこのスクリュー体１５１の回転方向によって球受け溝１５２により受止された遊技球を賞品球として払出する賞品球払出経路１５３と、貸し球として払出する貸し球払出経路１５４とが設けられ、賞品球払出経路１５３にはその経路を通過する賞品球を検知する賞球用カウントスイッチ１５５が設けられ、貸し球払出経路１５４にはその経路を通過する貸し球を検知する貸し球用カウントスイッチ１５６が設けられている。
【００５２】
図１１は、図１０に示した賞球払出機構部（球払出装置）８０の構成を別の実施例として具体的に示したものである。同一の構成部分は同一の符号を付してその説明を割愛する。またスクリュー体１５１のスクリュー軸の一端にはこのスクリュー体１５１を可逆転式に回転駆動されるステッピングモータ（スクリュー体駆動モータ）１５７の連繋状態が図示されている。
【００５３】
図１２は、上述した各種制御基板の電気的接続関係を示す制御ブロック図である。この制御ブロック図でもわかるように、特別図柄表示装置５０及び普通図柄表示装置６０を含む表示ブロックは主制御基板９１に接続され、主制御基板９１からの指令信号により作動される。また遊技盤１４面に設けられる飾りランプやＬＥＤ等の飾りブロック、あるいは第１種始動入賞口５１や大入賞口５２等の電動役物を含む役物ブロック、更には音声駆動部１６５及びスピーカ１６６を含む音声ブロックなども主制御基板９１に接続されている。これらに対しても主制御基板９１からの指令信号により制御が行われている。
【００５４】
又、前記主制御基板９１はＣＲ外部接続端子部（基板）８７やＣＲ払出制御部（基板）８８と接続され、ＣＲ払出制御基板８８は賞球払出機構部（球払出装置）８０の賞球モータ（スクリュー体駆動モータ）１５７と接続される。またＣＲ払出制御基板８８にはインターフェイス基板８９を介してカードサンドユニット３０が接続され、更に遊技機前面の球貸し操作部３１に設けられる度数表示部３５や球貸出しボタン３２が接続される。そしてＣＲ払出制御基板８８には、遊技盤面に設けられる各種入賞口への遊技球の入賞信号、及びプリペードカード使用による貸し球要求信号に基づいて遊技球の払出経路を変更する球経路変更制御部１６７が設けられる。更に、発射装置制御基板１０４を介して遊技球発射装置１００も接続されている。
【００５５】
そして主制御基板９１には、入賞検知用スイッチ１１９、セーフ球検知用スイッチ１２１のほか、前述の賞球払出機構部（球払出装置）８０に設けられる賞球数検知用スイッチ（賞球用カウントスイッチ）１５５が接続され、一方貸し球数検知用スイッチ（貸し球用カウントスイッチ）１５６はＣＲ払出制御基板８８に接続され、これらの検知信号に基づいて詳細は後述するが、球変更制御部１６７からＣＲ払出制御基板８８への指令信号により球払出可動部（球払出装置）８０が、駆動制御されるようになっている。
【００５６】
この実施形態においては主制御基板９１とＣＲ払出制御部８８の信号ライン接続は、図１２で示したように主制御基板９１からＣＲ払出制御部８８への一方向伝送を可能とする電気接続ラインを有して、ＣＲ払出制御部８８に接続された球経路変更制御部１６７、インターフェイス基板８９、球貸し数検知用ＳＷ１５６、度数表示基板３５、球貸し球ボタン３２、外部接続端子部９７、ドア開放用ＳＷ、発射装置１００、球払出可動部８０からの電気信号が主制御基板９１には入力不可能にされ、ＣＲ払出制御部８８を介しての不正外部信号の入力を禁止する構成にある。なお、場合により、後述の球貸し表示報知、球貸し動作表示報知、貸し球数表示報知をするための電気信号ラインを主制御基板９１に接続するようにしてよく、また必要に応じて、外部接続ブロックを介して球貸し表示報知、球貸し動作表示報知、貸し球数表示報知等を行う構成としてもよい。
【００５７】
このように構成されたパチンコ遊技機によれば、遊技盤１４面の各入賞口への遊技球の入賞により主制御基板９１から賞球モータ（スクリュー体駆動モータ）１５７へ賞品球の払出信号が送信されると、図１０中矢示Ａ方向に回転する。そのために補給通路１５０よりスクリュー体１５１の球受け溝１５２に補給された遊技球は賞品球として賞品球払出経路１５３より排出される。
【００５８】
そして賞品球払出経路１５３より排出される賞品球は、その払出経路に設けられる賞球用カウントスイッチ１５５により検知され、その計数（カウント）値が各入賞口に対応して定められた賞品球払出個数（例えば、５個、７個あるいは１３個）に達すれば、主制御基板９１からの指令信号によりスクリュー体駆動モータ１５７の駆動が停止される。
【００５９】
一方、プリペードカード使用により貸し球要求信号がＣＲ払出制御基板８８に入力されると、該ＣＲ払出制御基板８８からスクリュー体駆動モータ１５７へ貸し球の払出信号が送信される。その結果スクリュー体１５１は今度は逆回転方向（図１０中矢示Ｂ方向）に回転し、補給通路１５０よりスクリュー体１５１の球受け溝１５２に補給された遊技球は貸し球として貸し球払出経路１５４より排出される。
【００６０】
そして貸し球払出経路１５４より排出される貸し球は、その払出経路に設けられる貸し球用カウントスイッチ１５６により検知され、その計数（カウント）値が遊技機の前面の設けられた球貸し操作部３１の金額設定ボタン３８の操作により決定された貸出し金額（貸出し度数）に見合う個数の遊技球（例えば、２５個、５０個、７５個あるいは１００個）に達すればＣＲ払出制御基板８８からの指令信号によりスクリュー体駆動モータ１５７の駆動が停止される。
【００６１】
以上実施例について説明したが、本発明は上記した実施の形態に何ら限定されるものではなく、本発明の趣旨を逸脱しない範囲で種々の改変が可能である。例えば、スクリュー体の形態やその周縁に設けられている球受け溝の周回数は設計に応じて変更可能であり、これを２列に設けて遊技球の払出スピードを上げる等の対応は可能である。
【符号の説明】
【００６２】
１０  カード式パチンコ遊技機
３０  玉貸機（プリペードカードユニット）
５０  特別図柄表示装置
７７  賞球タンク
８０  賞球払出機構部（球払出装置）
１５０  補給通路
１５１  スクリュー体
１５２  球受け溝
１５３  賞品球払出経路
１５４  貸し球払出経路
１５５  賞球用カウントスイッチ
１５６  貸し球用カウントスイッチ
１５７  スクリュー体駆動モータ
【図１】
0004628478.tif 000002
【図２】
0004628478.tif 000003
【図３】
0004628478.tif 000004
【図４】
0004628478.tif 000005
【図５】
0004628478.tif 000006
【図６】
0004628478.tif 000007
【図７】
0004628478.tif 000008
【図８】
0004628478.tif 000009
【図９】
0004628478.tif 000010
【図１０】
0004628478.tif 000011
【図１１】
0004628478.tif 000012
【図１２】
0004628478.tif 000013